(57)【要約】【課題】コンテンツの不正使用を極めて確実に阻止し得る磁気記録媒体および磁気記録装置の提供を目的とする。【解決手段】磁気記録装置１に含まれる磁気ディスク１０は、基板１１上に磁性層１５を有し、磁性層１５に各種情報を記録可能なものであり、磁性層１５を加熱して消磁させることができるヒータ層１４を備えている。【選択図】　　　　図２
2004046937.tif 000002
【特許請求の範囲】
【請求項１】
基板上に磁性層を有し、前記磁性層に各種情報を記録可能な磁気記録媒体において、
前記磁性層を加熱して消磁させることができるヒータ層を備えることを特徴とする磁気記録媒体。
【請求項２】
前記ヒータ層は、給電されると発熱する素材により形成されていることを特徴とする請求項１に記載の磁気記録媒体。
【請求項３】
前記ヒータ層は、タングステンまたはニッケル・クロムにより形成されていることを特徴とする請求項１または２に記載の磁気記録媒体。
【請求項４】
前記磁性層と前記ヒータ層との間に絶縁層を有し、前記絶縁層は、酸化物により形成されていることを特徴とする請求項１から３の何れか一項に記載の磁気記録媒体。
【請求項５】
前記ヒータ層の一部は、電流を供給することができるように外部に露出されていることを特徴とする請求項１から４の何れか一項に記載の磁気記録媒体。
【請求項６】
基板上に磁性層を有する磁気記録媒体を含み、この磁気記録媒体の前記磁性層に対する各種情報の記録・再生を実行可能な磁気記録装置において、
前記磁気記録媒体は、給電を受けた際に前記磁性層を加熱して消磁させることができるヒータ層を備えており、
前記磁気記録媒体の非回転時には、前記磁気記録媒体の前記ヒータ層に対して給電可能である一方、前記磁気記録媒体の回転時には、前記磁気記録媒体の前記ヒータ層に対する給電を遮断可能であることを特徴とする磁気記録装置。
【請求項７】
前記磁気記録媒体の回転時に、前記磁気記録媒体の回転による遠心力を利用して、前記磁気記録媒体の前記ヒータ層に対する給電を遮断することを特徴とする請求項６に記載の磁気記録装置。
【請求項８】
前記磁気記録媒体を収容する筐体と、前記筐体の開封を検知する開封検知手段とを更に備え、前記開封検知手段によって前記筐体の開封が検知された際に、前記磁気記録媒体の前記ヒータ層に対する給電が開始されることを特徴とする請求項６または７に記載の磁気記録装置。
【請求項９】
前記磁気記録媒体の前記ヒータ層に電力を供給する一次電池または二次電池を更に備えることを特徴とする請求項６から８の何れか一項に記載の磁気記録装置。
【発明の詳細な説明】
【０００１】
【発明の属する技術分野】
本発明は、磁性層を有する磁気記録媒体、および、それを備えた磁気記録装置に関する。
【０００２】
【従来の技術】
現在では、市販されているパソコン等の端末機器に様々なコンテンツが予めインストールされている。また、インターネット等の電気通信回線の普及により、ユーザは、電気通信回線を介して所望のコンテンツを入手（ダウンロード）して、入手したコンテンツを容易に利用できるようになっている。その一方で、様々なコンテンツが容易に幅広く頒布されるようになればなるほど、コンテンツの不正使用を確実に防止して、著作権の保護を強化する必要が生じる。
【０００３】
コンテンツの不正使用を防止するために、従来から、ＩＤ番号やパスワード等を設定することにより、コンテンツの不正使用を制限することが行なわれている。しかしながら、正当な契約者がＩＤ番号やパスワードを第三者に漏洩した場合、当該第三者はそのコンテンツを容易に不正使用できてしまう。このため、コンテンツの不正使用を防止する新たな対策として、コンテンツを記録する記録媒体自体にもＩＤ番号等を埋め込んでおき、埋め込まれたＩＤ番号に基づいてコンテンツの利用を可能にする解除キー（コンテンツキー）を取得または作成することにより、コンテンツの利用を許容するシステムが提案されている。
【０００４】
【発明が解決しようとする課題】
しかしながら、専門の知識や技術をもつ者にとって、ハードディスク装置等を分解して記録媒体の記録内容を磁気ヘッドにより読み取り、信号処理を施してＩＤを盗用することは、さほど困難なことではない。従って、上述のようなコンテンツの不正使用防止システムを利用したとしても、コンテンツの不正使用を完全に防止することは困難である。このため、コンテンツを供給する者の権利を保護しつつ、インターネット等を介したコンテンツ配信等の普及を図る上で、コンテンツの不正使用をより一層確実に阻止し得る対策を講じる必要がある。
【０００５】
そこで、本発明は、コンテンツの不正使用を極めて確実に阻止し得る磁気記録媒体および磁気記録装置の提供を目的とする。
【０００６】
【課題を解決するための手段】
本発明による磁気記録媒体は、基板と、基板上の磁性層とを有するものであり、磁性層には、様々なコンテンツや、コンテンツを利用するために必要なＩＤといった各種情報を記録することができる。
【０００７】
ここで、磁気記録のために磁性層（磁性体）に磁場を加えると、磁性層の磁区のうち、加えられた磁場と同方向に磁化している複数の磁区が、それらの間に位置する磁壁を追いやるようにして増加し、磁壁が消滅した段階で一体の磁区を形成する。このような飽和磁化状態では、磁場が取り除かれても、追いやられた磁壁は磁場を加える前の位置に戻ることはない。磁気記録は、このような磁性体の性質を利用して行われるが、その一方で、磁性層が昇温し、磁性層温度がキュリー温度に達すると、磁性体としての性質が失われ、磁性層に記録された磁気情報は消滅することになる。
【０００８】
本発明の磁気記録媒体は、このような磁性体の性質を利用するものであり、磁性層を加熱して消磁させることができるヒータ層を備えている。これにより、例えば、磁気記録媒体の磁性層に記録されているＩＤ等が不正に読み出されそうになった際にヒータ層による加熱を開始させれば、磁性層に記録されているコンテンツおよびＩＤ等の所望の一部またはすべてを消去することが可能となる。従って、この磁気記録媒体を用いれば、コンテンツの不正使用を極めて確実に阻止することができる。
【０００９】
この場合、ヒータ層は、給電されると発熱する素材により形成されていると好ましく、例えば、タングステンまたはニッケル・クロム等により形成されていると好ましい。
【００１０】
また、磁気記録媒体は、磁性層とヒータ層との間に絶縁層を有し、絶縁層は、酸化物により形成されていると好ましい。
【００１１】
更に、ヒータ層の一部は、電流を供給することができるように外部に露出されていると好ましい。
【００１２】
本発明による磁気記録装置は、基板上に磁性層を有する磁気記録媒体を含み、この磁気記録媒体の磁性層に対する各種情報の記録・再生を実行可能な磁気記録装置において、磁気記録媒体は、給電を受けた際に磁性層を消磁させる程度に加熱することができるヒータ層を備えており、磁気記録媒体の非回転時には、磁気記録媒体のヒータ層に対して給電可能である一方、磁気記録媒体の回転時には、磁気記録媒体のヒータ層に対する給電を遮断可能であることを特徴とする。
【００１３】
この磁気記録装置では、磁気記録媒体の非回転時にのみ磁気記録媒体のヒータ層に対する給電が許容され、磁気記録媒体の回転時には、磁気記録媒体のヒータ層に対する給電が遮断される。従って、磁気記録媒体の非回転時、すなわち、磁気記録装置の非動作時に、磁気記録媒体の磁性層に記録されているＩＤ等が不正に読み出されそうになったとしても、ヒータ層に給電して加熱を開始させることにより、磁性層に記録されているコンテンツおよびＩＤ等の所望の一部またはすべてを消去することができる。また、磁気記録媒体の回転時には、磁気記録媒体のヒータ層に対する給電が遮断されるので、磁気記録装置の動作時に、誤って磁気情報を消去してしまうことが確実に防止されることになる。
【００１４】
この場合、磁気記録媒体の回転時に、磁気記録媒体の回転による遠心力を利用して、磁気記録媒体のヒータ層に対する給電を遮断すると好ましい。
【００１５】
また、磁気記録媒体を収容する筐体と、筐体の開封を検知する開封検知手段とを更に備え、開封検知手段によって筐体の開封が検知された際に、磁気記録媒体のヒータ層に対する給電が開始されると好ましい。
【００１６】
このような構成のもとでは、専門の知識や技術をもつ者等が、磁気記録媒体の記録内容を読み取るために磁気記録装置を分解しようとしても、筐体を少しでも開封した段階でヒータ層による加熱が開始されるので、磁性層に記録されているＩＤ等が不正盗用される前に、磁性層に記録されているコンテンツおよびＩＤ等の所望の一部またはすべてを消去することが可能となる。
【００１７】
かかる開封検知手段としては、圧力センサ、酸素センサ、衝撃センサ等を用いることができる。
【００１８】
また、磁気記録媒体のヒータ層に電力を供給する一次電池または二次電池を更に備えると好ましい。
【００１９】
【発明の実施の形態】
以下、図面と共に本発明による磁気記録媒体および磁気記録装置の好適な実施形態について詳細に説明する。
【００２０】
図１は、本発明による磁気記録装置を示す概略構成図である。同図に示される磁気記録装置１は、コンピュータ用外部記憶装置（ハードディスク装置）を始めとして、各種用途に適用可能なものである。同図に示されるように、磁気記録装置１は、筐体２を有しており、筐体２の内部には、磁気ディスク（磁気記録媒体）１０が収容されている。磁気ディスク１０は、スピンドルモータ３の回転軸３ａに取り付けられており、スピンドルモータ３によって所望速度で回転駆動される。
【００２１】
また、筐体２の内部には、磁気ディスク１０に対する情報の読取／書込を行う磁気ヘッド（スライダ）４、および、その先端に磁気ヘッド４を支持するヘッドアーム（サスペンション）５が配置されている。ヘッドアーム５は、ボイスコイルモータ（アクチュエータ）６によって旋回移動させられ、これにより、磁気ヘッド４は、磁気ディスク１０の所望のトラック上に位置決めされる。更に、筐体２の内部には、磁気ヘッド４による読取／書込、スピンドルモータ３の動作、および、ボイスコイルモータ６の動作等を制御する制御回路等が実装された回路基板７が配置されている。筐体２内の磁気ディスク１０の側方には、ディスク回転停止時に、磁気ヘッド４を待避させるためのランプ（図示省略）等が配置されている。
【００２２】
図２は、上述の磁気記録装置１に含まれる磁気ディスク１０を示す断面図である。同図に示されるように、磁気ディスク１０は、アルミ、ガラス、あるいは、プラスチック等の樹脂等からなる円盤状の基板１１を含む。基板１１の表面（図２における上面、下面および側面）のほぼ全体には、例えばＳｉＯ２等の酸化物からなる絶縁層１２が形成されている。そして、この磁気ディスク１０では、絶縁層１２の表面にヒータ層１４が形成されている。ヒータ層１４は、給電されると発熱する素材であるタングステンまたはニッケル・クロム等からなり、基板１１の上面および下面の中央部を除くほぼ全面（基板側面をも含む）を覆う。
【００２３】
また、基板１１の上面側に位置するヒータ層１４および基板１１の下面側に位置するヒータ層１４の上には、様々なコンテンツやコンテンツを利用するために必要なＩＤといった各種情報を記録させることができる磁性層１５が環状に形成されている。この磁性層１５の上には、スピンコータによって潤滑層１６が形成されている。
【００２４】
図２からわかるように、磁性層１５および潤滑層１６は、ヒータ層１４の基板中心寄りの領域上には形成されておらず、上下のヒータ層１４は、基板１１の中心部付近において、それぞれ円環状に外部に露出されている。そして、磁気記録装置１では、磁気ディスク１０の上側および下側の中央部付近に、ヒータ層１４に給電するための給電機構２０が配置されている。給電機構２０は、ヒータ層１４の露出部を介して、ヒータ層１４に給電可能であると共に、ヒータ層１４に対する給電を遮断可能なものである。
【００２５】
給電機構２０は、図３に示されるように、それぞれ導電性部材により形成されている可動部材２１および静止部材２２を含む。可動部材２１は、ヒータ層１４の露出部に固定されており、磁気ディスク１０と共に回転し得る。本実施形態では、コの字状の断面形状を有する可動部材２１が複数（例えば３体）用いられる。一方、静止部材２２は、概ね円筒状に形成されており、ベアリング（軸受）２３を介してスピンドルモータ３の回転軸３ａに取り付けられている。静止部材２２は、基本的に、磁気ディスク１０に対して静止し、静止部材２２には、回路基板７を介して電源８（図１参照）からの電流を印加することができる。なお、電源８としては、一次電池が用いられてもよく、二次電池が用いられてもよい。
【００２６】
図３に示されるように、静止部材２２は、各可動部材２１の間に位置決めされることになる。そして、各可動部材２１の内部には、導電性材質のウェイト２４が導電性材質のスプリング２５を介して取り付けられている。磁気ディスク１０がスピンドルモータ３によって回転駆動されずに停止している状態では、各ウェイト２４は、スプリング２５によって内方（回転軸３ａ側）に付勢されて静止部材２２の外周面と接触する。このように、各ウェイト２４が静止部材２２と接触している際に、電源８から回路基板７を介して静止部材２２に電流を印加すると、電源８からの電流は、ウェイト２４、スプリング２５および可動部材２１を介して、ヒータ層１４に加えられることになる。一方、磁気ディスク１０がスピンドルモータ３によって駆動されて回転すると、磁気ディスク１０の回転により各ウェイト２４に作用する遠心力が各スプリング２５の不勢力に打ち勝ち、図４に示されるように、各ウェイト２４は、外方に移動して静止部材２２から離間する。
【００２７】
この場合、各ウェイト２４の重量と、各スプリング２５のバネ定数等は、磁気ディスク１０が回転を開始した直後の所定のタイミングで各ウェイト２４が静止部材２２から離間するように設定される。なお、給電機構２０は、１体の磁気ディスク１０の上側または下側の何れか一方にのみ設けられてもよい。また、可動部材２１は、コの字状の断面形状を有する環状部材として構成されてもよく、この場合、可動部材２１の内部の所定位置にウェイト２４およびスプリング２５をそれぞれ複数配置すればよい。
【００２８】
更に、磁気記録装置１には、筐体２の開封を検知する開封検知センサ９（図１参照）が更に備えられている。開封検知センサ９は、回路基板７に接続されており、筐体２が開封されたことを検知すると、開封検知信号を回路基板７に組み込まれている所定のスイッチング回路に与える。そして、磁気記録装置１では、当該スイッチング回路が開封検知センサ９から開封検知信号を受け取った段階で、磁気ディスク１０のヒータ層１４に対する電源８からの給電が許容される。
【００２９】
ここで、開封検知センサ９としては、圧力センサ、酸素センサ、衝撃センサ等を用いることができる。開封検知センサ９として圧力センサが用いられる場合、密閉構造を有する筐体２が採用される。そして、筐体２の内部圧力は、常圧（大気圧）よりも十分に高圧または低圧に設定される。この場合、開封検知センサ９は、筐体２の内部圧力が設定圧力となっているか否かをモニタし、筐体２の内部圧力が常圧に変化した段階で回路基板７に組み込まれているスイッチング回路に開封検知信号を与える。
【００３０】
また、開封検知センサ９として酸素センサが用いられる場合も、密閉構造を有する筐体２が採用される。そして、筐体２の内気は、例えばアルゴン等の不活性ガスにより置換され、筐体２の内部は、酸素が存在しない状態に維持される。開封検知センサ９は、筐体２の内部の酸素量をモニタし、筐体２の内部に所定量以上の酸素が存在するようになった段階で回路基板７に組み込まれているスイッチング回路に開封検知信号を与える。開封検知センサ９として衝撃センサが用いられる場合、開封検知センサ９は、筐体２に生じる振動をモニタし、筐体２に機械加工等によって特異振動が生じた段階で回路基板７に組み込まれているスイッチング回路に開封検知信号を与える。
【００３１】
さて、上述のように構成されている本発明による磁気記録装置１では、磁気ディスク１０の磁性層１５に、様々なコンテンツや、コンテンツを利用するために必要なＩＤといった各種情報を記録することができる。
【００３２】
ここで、磁気記録のために磁性層１５（強磁性体）に磁場Ｈを加えると、磁性層１５の磁区のうち、加えられた磁場Ｈと同方向に磁化している複数の磁区が、それらの間に位置する磁壁Ｗを追いやるようにして増加し、磁壁Ｗが消滅した段階で一体の磁区を形成する（図５および図６参照）。このような飽和磁化状態では、磁場が取り除かれても、追いやられた磁壁は磁場を加える前の位置に戻ることはない。
【００３３】
磁性層１５に対する磁気記録は、このような磁性体の性質を利用して行われるが、その一方で、図７からわかるように、磁性層１５が昇温し、磁性層温度がキュリー温度Θｆに達すると、磁性層１５から磁性体としての性質が失われ、磁性層１５に記録された磁気情報は消滅することになる。一般に、磁気ディスク１０の磁性層１５として使用される希土類−鉄アモルファス薄膜（Ｃｇ−Ｆｅ，Ｔｈ−Ｆｅ，Ｄｙ−Ｆｅ，Ｈｏ−Ｆｅ等）では、組成に依存するが、キュリー温度Θｆは、およそ１００〜６００℃の範囲にある。
【００３４】
このような磁性体の性質に鑑みて、磁気記録装置１に含まれる磁気ディスク１０には、絶縁層１２を介して磁性層１５をそのキュリー温度Θｆまで加熱して消磁させることができるヒータ層１４が備えられている。すなわち、磁気記録装置１では、磁気ディスクの磁性層１５に記録されているＩＤ等が不正に読み出されそうになった場合等に、ヒータ層１４による加熱を開始させることにより、磁性層１５に記録されているコンテンツおよびＩＤ等の所望の一部またはすべてを消去することが可能となる。従って、磁気ディスク１０を含む磁気記録装置１では、コンテンツの不正使用を極めて確実に阻止することができる。
【００３５】
なお、磁性層１５（磁気ディスク１０）の温度がキュリー温度Θｆに達していない場合であっても、磁化が弱まって磁気ヘッド等からの再生信号のＳ／Ｎ比が十分に得られない状態になれば、コンテンツやＩＤ等はその価値を失うことになる。従って、ヒータ層１４による加熱は、磁気ヘッド等からの再生信号のＳ／Ｎ比が十分に得られない程度にまで磁性層１５の磁化を弱めるものであればよい。
【００３６】
磁性層１５の加熱動作について更に具体的に説明すると、専門の知識や技術をもつ者等が、磁気ディスク１０の記録内容（コンテンツ自体あるいはＩＤ等）を読み取るために磁気記録装置１の筐体２を少しでも開封した場合、上述の開封検知センサ９により、筐体２が開封された旨が直ちに検知され、開封検知信号が回路基板７のスイッチング回路に与えられる。
【００３７】
ここで、筐体２の開封が試みられる場合、当然にスピンドルモータ３は停止され、磁気ディスク１０は停止していることから、給電機構２０の静止部材２２と各ウェイト２４とは互いに接触し合っている。従って、磁気記録装置１では、開封検知センサ９によって筐体２の開封が検知されると、直ちに、電源８から、静止部材２２、ウェイト２４、スプリング２５および可動部材２１を介して磁気ディスク１０のヒータ層１４に電流が供給される。これにより、ヒータ層１４による磁性層１５の加熱が開始され、磁性層１５の温度がキュリー温度Θｆに達すると、磁性層１５に記録されているコンテンツおよびＩＤ等の所望の一部またはすべてが消去される。この結果、磁性層１５に記録されているコンテンツの不正盗用が極めて確実に防止されることになる。
【００３８】
このように、磁気記録装置１では、磁気ディスク１０の非回転時にヒータ層１４に対する給電、すなわち、ヒータ層１４による磁性層１５の加熱が許容される。一方、磁気記録装置１において情報の読取／書込動作等を行なうために磁気ディスク１０をスピンドルモータ３によって回転駆動させると、磁気ディスク１０の回転開始直後に、磁気ディスク１０の回転により各ウェイト２４に作用する遠心力が各スプリング２５の不勢力に打ち勝つので、図４に示されるように、各ウェイト２４が外方に移動して静止部材２２から離間し、ヒータ層１４と電源８との電気的接続が完全に断たれることになる。
【００３９】
すなわち、磁気記録媒体１では、磁気ディスク１０の回転時に、磁気ディスク１０のヒータ層１４に対する給電が、上述の磁気ディスク１０の回転による遠心力を利用する給電機構２０によって遮断される。従って、磁気記録装置１の動作時に、誤って磁気情報を消去してしまうことが確実に防止される。
【００４０】
【発明の効果】
以上説明されたように、本発明によれば、コンテンツの不正使用を極めて確実に阻止し得る磁気記録媒体および磁気記録装置の実現が可能となる。
【図面の簡単な説明】
【図１】本発明による磁気記録装置を示す概略構成図である。
【図２】図１の磁気記録装置に含まれる磁気ディスクを示す断面図である。
【図３】図１の磁気記録装置に含まれる給電機構を示す部分断面図である。
【図４】図１の磁気記録装置に含まれる給電機構を示す部分断面図である。
【図５】磁性体における基本的な磁区の状態を例示する模式図である。
【図６】磁性体に外部磁場を加えた際の磁区の状態を例示する模式図である。
【図７】磁性体の温度と飽和磁化との関係を示す図表である。
【符号の説明】
１　磁気記録装置
２　筐体
３　スピンドルモータ
４　磁気ヘッド
５　ヘッドアーム
６　ボイスコイルモータ
７　回路基板
８　電源
９　開封検知センサ
１０　磁気ディスク
１１　基板
１２　絶縁層
１４　ヒータ層
１５　磁性層
１６　潤滑層
２０　給電機構
２１　可動部材
２２　静止部材
２４　ウェイト
２５　スプリング
【図１】
2004046937.tif 000003
【図２】
2004046937.tif 000004
【図３】
2004046937.tif 000005
【図４】
2004046937.tif 000006
【図５】
2004046937.tif 000007
【図６】
2004046937.tif 000008
【図７】
2004046937.tif 000009